(57)【要約】【課題】センサユニットの検出値を外部から確認できる照明装置の提供を目的とする。【解決手段】主灯と、センサユニットと、センサユニットの動作状態を表示する動作表示LEDと、制御部とを有する照明装置において、前記飾り鍔板部は透光性を有し、前記センサユニットは、照度センサと、動作表示ＬＥＤとを有し、周囲の照度を検出する際、前記制御部は、前記照度センサによる周囲の照度検出値を文字列として動作表示LEDの点灯信号に変調を行い、テキストデータを兆畳して送信する。【選択図】  図１
2018116791.tif 000002
【特許請求の範囲】
【請求項１】
主灯と、センサユニットと、センサユニットの動作状態を表示する動作表示LEDと、制御部とを有する照明装置において、前記飾り鍔板部は透光性を有し、前記センサユニットは、照度センサと、動作表示ＬＥＤとを有し、周囲の照度を検出する際、前記制御部は、前記照度センサによる周囲の照度検出値を文字列として動作表示LEDの点灯信号に変調を行い、テキストデータを兆畳して送信することを特徴とする照明装置。
【発明の詳細な説明】
【技術分野】
【０００１】
本発明は、ＬＥＤ照明装置に関するものである。   
【背景技術】
【０００２】
従来の照明装置の一例として、周囲の明るさに応じて点灯状態を可変することで、余分な消費電力を抑制して省エネルギーを図るようにしたものが知られている。
【０００３】
特開２０１５−１３５７８２（特許文献１）には、主灯と、センサユニットと、制御部とを有する照明装置において、前記センサユニットは、照度センサを有し、周囲の照度を検出する際、前記制御部は、前記照度センサによる検出値と前記制御部に記憶されている目標値の差分の絶対値が大きい場合には前記主灯の制御周期を短くし、差分の絶対値が小さい場合には前記主灯の制御周期を長くすることを特徴とする発明が記載されている。
【先行技術文献】
【特許文献】
【０００４】
【特許文献１】特開２０１５−１３５７８２号公報
【発明の概要】
【発明が解決しようとする課題】
【０００５】
しかしながら、特許文献１に記載の構成においても、製品の製造を行う際にセンサユニットが正常に動作しているかの確認を行う際にセンサユニットに入射する光量を変化させ、それにより主灯の出力が変化することで確認を行おうとしても、主灯の制御周期以下には確認時間を短くすることができないという問題があった。センサユニットの検出値を外部から確認できる照明装置の提供を目的とする。
【課題を解決するための手段】
【０００６】
上記従来の課題を解決するため、本発明では、本体に内蔵する前記マイクロコンピュータが、センサユニットの検出値を文字列として動作表示LEDの出力の変調を行い点灯することによりデータを送信し、外部の受信機器により検出値を文字列として確認することができる。
【発明の効果】
【０００７】
本発明によれば、センサユニットの検出値が文字列により送信することができ、照明装置に特別な装置に追加を行うことなく送信が可能となり、センサユニットの検出値を外部から確認できる。
【図面の簡単な説明】
【０００８】
【図１】本発明に係る一実施形態の照明器具の横方向全体図。
【図２】本発明に係る一実施形態のブロック図。
【図３】自動調光を行う前の調光の設定値設定ならびに自動調光開始を示すフローチャート
【図４】自動調光モードの動作を示すフローチャート
【発明を実施するための形態】
【０００９】
本発明の実施形態を図１〜図４を用いて説明する。図１は本発明に係る照明器具を床面側からみた全体図である。図１に記載されているように照明装置本体１は主灯本体とそれを下側から覆う透光カバー２を具備する。また、照明装置本体１の周辺部に装着されるセンサユニット４を備える。センサユニット４はセンサユニット本体と動作表示ＬＥＤと照度センサとを具備する。また、照明装置本体１の周囲には飾り鍔板部３が設けられている。センサユニット４は、飾り鍔板部３に対して、天井側になるよう設けられている。   
図示せぬ制御回路は主灯の内部に内蔵され、商用電源５０が供給されることにより動作する。また制御基板にはセンサユニットが図示せぬ配線により接続されている。
【００１０】
（回路ブロックの説明）   
次に本実施形態における照明システム（照明装置）の機能例について、図２を用いて説明する。   
照明装置本体１の全体の制御はマイクロプロセッサ２３にて行われる。マイクロプロセッサ２３内のプログラムを実行することにより、種々の機能を具現化する。商用電源５０とマイクロプロセッサ２３の間には電源回路２０と商用電源監視回路２２が接続されている。
【００１１】
リモコン送信機（図示なし）からの送信信号はリモコン受信回路２１で受信しマイクロプロセッサ２３へ信号が送られる。この送信信号に基づいてマイクロプロセッサ２３はメインランプ（第１の光源）１０の駆動回路であるメインランプ（第１の光源）駆動回路４１、保安灯１１の駆動回路である保安灯駆動回路４２及び補助灯（第２の光源）１２の駆動回路である補助灯駆動回路４３を制御し送信信号通りに夫々の光源の点灯、消灯あるいは調光を行う。  
また、制御回路には照度検出回路４３と照度センサ３０と動作表示ＬＥＤ駆動回路４４と動作表示ＬＥＤ１２とが接続されている。それぞれの駆動回路は、インバータなどで構成する。
【００１２】
また、図示せぬリモコン送信機には、主灯の「点灯ボタン」ならびに「消灯ボタン」、「自動調光ボタン」、主灯の明るさの「アップボタン」および「ダウンボタン」が設けられている。
【００１３】
（動作の説明）   
図３および４のフローチャートに基づいて、自動調光の動作を説明する。   
図３のフローチャートは自動調光を行う前の調光の設定値設定ならびに自動調光開始を示す。以下の手順により調光値の設定を行う。
(1)  リモコン送信機を使用し、希望の調光状態に設定する。
(2)  リモコン送信機の「自動調光ボタン」を所定時間（実施例では約３秒）押し続ける。
(3)  制御回路は照度センサ３０の出力値を読み出し、自動調光する照度に設定（設定値ａ）する。本設定は制御回路の不揮発メモリに記憶する。設定時にはブザーを通常の受付時より鳴動回数を増やして報知する。
(4)  モードを自動調光モードにする。  
上記設定を実施した場合には、設定値が不揮発メモリに記録されているため、次回以降の設定は不要であり、「自動調光ボタン」の押下のみでモードを自動調光モードにする。
【００１４】
図４のフローチャートは自動調光モードの動作を示す。自動調光モードの動作は以下の通りである。
【００１５】
照度センサ３０により所定時間Ｔ1の間隔で照度を取り込む（取り込み値ｂ）。   
取り込み値ｂと設定値ａを比較して、次のように点灯状態を調整する。  
（１）ａ＞ｂのときは、設定値より明るすぎるので、照明の出力を下げる。   
（２）ａ＜ｂのときは、暗すぎるので、照明の出力を上げる。   
（３）ａ＝ｂのときは、設定通りなので、照明の出力を変化させない。   
以上の動作を繰り返す。
【００１６】
この際に従来の照明器具では単純に動作表示LED駆動回路４４を制御し動作表示LED１２を点灯させるのであるが、本発明においては動作表示LED１２の点灯および点滅をマイクロコンピュータ２３が可視光通信の変調を行った信号によって動作表示LED駆動回路４４を制御し実施することにより、取り込み値ｂを文字列化したデータとして送信するものである。送信間隔は上記照度センサ３０の取り込み所定時間T1で行うことにより、定期的に取り込み値が送信される。
【００１７】
この動作表示LED１２の出力光を図示せぬ受信デバイスにより受信し復調することで、取り込み値ｂを文字列として受信することが可能となる。センサユニットの検出値が文字列により送信することができ、照明装置に特別な装置に追加を行うことなく送信が可能となり、センサユニットの検出値を外部から確認できるという効果を奏する。
【００１８】
このときに照度センサ３０に入射する光量を変化させれば、出力される取り込み値の文字列も変化する。
【符号の説明】
【００１９】
１ 照明装置本体  
２ 透光カバー  
３ 飾り鍔板部
４ センサユニット
１０ メインランプ   
１１ 保安灯   
１２ 動作表示LED
２０ 電源回路   
２１ リモコン受信回路   
２３ マイクロプロセッサ   
３０ 照度センサ
４１ メインランプ駆動回路   
４２ 保安灯駆動回路   
４３ 照度検出回路   
４４ 動作表示LED駆動回路
２２ 商用電源監視回路
５０ 商用電源   
【図１】
2018116791.tif 000003
【図２】
2018116791.tif 000004
【図３】
2018116791.tif 000005
【図４】
2018116791.tif 000006